(57)【要約】      （修正有）【課題】多数の移動機が１つのチャネルを共有するＤＳＣＨフレームは、１つの送信スロットでは１つの移動機に対してのみ送信が可能であり、複数の移動機が同時に受信することはできなかった。この問題を解決し、マルチキャスト通信を可能にする。【解決手段】無線ネットワーク制御装置は、内部に下り共通チャネルを処理する機能部を有し、更に、下り共通チャネル通信および下り共通チャネルマルチキャスト通信に関する各種設定情報を格納するテーブル手段を具備する。これらの情報に従って、１つ以上の移動機に対して、下り共通チャネルを使用したマルチキャスト通信（ユニキャスト通信含む）を実現する。また、基地局は、無線ネットワーク制御装置から受信した下り共通チャネルデータや前記シグナリングデータを、無線回線を通して移動機に送信する機能を有する。更に、呼接続中の特定移動機に対してのみ選択的にデータをマルチキャストすることを可能とする。【選択図】図４
2008079333.tif 000002
【特許請求の範囲】
【請求項１】
ネットワークに接続される無線ネットワーク制御装置と、
基地局と、
前記基地局と接続される一以上の移動機を有し、
前記無線ネットワーク制御装置から、下り共有チャネルを用いて前記一以上の移動機にデータを送信する移動通信システムであって、
前記ネットワークに存在するデータサーバ手段と前記無線ネットワーク制御装置間に、マルチキャストデータを送信するためのチャネルを設定し、
前記設定されるチャネルを前記下り共有チャネルにマッピングすることを特徴とする移動通信システム。
【発明の詳細な説明】
【技術分野】
【０００１】
本発明は、下り共有チャネル（ＤＳＣＨ：Down Link Shared Channel）を使用した移動通信システムにおける通信方法および装置に関する。
【背景技術】
【０００２】
近年、ＣＤＭＡ（Code Division Multiple Access）通信システムの開発が急速に進み、音声のみならず、画像、動画といった、大容量のデータを高速かつ高品質、高効率で送受するため、従来よりも帯域の広いシステム（Ｗ-ＣＤＭＡ：Wideband-CDMA）への移行ニーズが高まってきている。
【０００３】
かかる要求に対応する通信システムは、一般に第三世代移動通信システムと呼ばれ、世界的な標準化団体である３ＧＰＰ（3rd Generation Partnership  Project）により諸規格が整備され、既にシステムの導入が開始されている。
【０００４】
３ＧＰＰでは、複数の移動機で共有して使用する下りチャネルとして、ＤＳＣＨ（Downlink Shared Channel）を定義している（３ＧＰＰ TS25.427、TS25.435参照）。ＤＳＣＨでは、１つのチャネルを多数の移動機で共有でき、かつ、柔軟な電力制御も可能である。このことから無線という有限リソースの中で、高速かつ高効率なデータ通信が実現可能であり、今後ますますその重要度が高まってくると考えられる。
【０００５】
図１Ａ〜１ＣにＤＳＣＨを使用した通信システムにおける下りデータ通信（移動機への通信）の概要を示す。かかるシステムは、有線網であるコアネットワーク１００、無線ネットワーク制御装置１０１、基地局１０２および移動機１０３から構成される。
【０００６】
なお、ＤＳＣＨは、無線ネットワーク制御装置１０１と基地局１０２間におけるチャネルの名称であり、かかるＤＳＣＨは、無線上では物理チャネルのひとつであるＰＤＳＣＨ（Physical Downlink Shared Channel）にマッピングされる。
【０００７】
また、１つの移動機１０３に対して１本個別に割り当てられるチャネルが存在し、無線ネットワーク制御装置１０１と基地局１０２間では個別チャネル（ＤＣＨ：Dedicated Channel）、無線上では個別物理チャネル（ＤＰＣＨ：Dedicated Physical Channel）と呼称される。各チャネルのマッピングについては、３ＧＰＰTS25.301に規定されている。
【０００８】
図１Ａに示すように、ＤＳＣＨ上にデータを送信する場合には、シグナリングと呼ばれる制御データをＤＰＣＨ上に送信する必要がある。シグナリングデータは、このシグナリングに対応するタイミングに、ＰＤＳＣＨ上にデータが存在するかどうかを移動機１０３に通知するために使用される。
【０００９】
すなわち、移動機１０３は常にＰＤＳＣＨに関して受信状態にあるわけではなく、ＤＰＣＨ上でシグナリングデータを受信した場合のみ、ＰＤＳＣＨ上のデータを受信する。
【００１０】
したがって、ＤＳＣＨでデータを受信できるのは、移動機１０３に対して個別ＣＨが設定されている場合のみであり、アイドル状態や個別チャネルが設定されていない状態においては、ＤＳＣＨ上のデータは受信できない。なお、移動機１０３はＤＰＣＨ上のシグナリングデータを常時受信している。
【００１１】
前記シグナリングデータは、無線上ではＤＰＣＨ上にマッピングされることは上述の通りであるが、無線ネットワーク制御装置１０１と基地局１０２間では、ＤＣＨ上で伝送される場合と、さらにシグナリング用のチャネルが設定され、このチャネル上で伝送される場合の２通りが規定されている。
【００１２】
ここで、移動機１０３はシグナリングデータを受信してから、ＤＳＣＨを受信する準備を開始するため、ＤＳＣＨデータは、シグナリングよりも遅延時間ΔTだけ後に送信する必要がある。
【００１３】
ＤＳＣＨデータは、セクタ毎に設定されている基準タイミングに従って送信されるため、全ての移動機１０３で、その受信タイミングは同一である。これに対して、ＤＰＣＨの受信タイミングは移動機１０３毎に異なっている。このために、前記遅延時間ΔTも移動機１０３毎に異なることになる。したがって、無線ネットワーク制御装置１０１は、シグナリングデータに関して、移動機１０３毎に遅延時間ΔTを意識した送信タイミング制御を行う必要がある。
【００１４】
なお、遅延時間ΔTは、呼設定の時点でアプリケーションにより無線ネットワーク制御装置１０１、基地局１０２、移動機１０３のそれぞれに通知される。
【００１５】
また、図１Ｂに示すように、ＤＳＣＨフレーム１０４内には、ユーザデータ１０４−１に加えて、移動機毎に付与される識別子ＩＤ１０４−２が格納される。これは、ＤＳＣＨフレーム１０４が特定の移動機１０３に対して正しく送信されるために必要となる。
【００１６】
このため、図１Ｃに示すように1つの送信スロットでは、1つの移動機１０３に対してのみの送信が可能であり、該当の送信スロットにおいて送信されたＤＳＣＨフレームを複数の移動機１０３で同時に受信することはできない。
【００１７】
図２にＤＳＣＨ送信時の処理シーケンスの例を示す。無線ネットワーク制御装置１０１は、コアネットワーク１００からユーザデータ１０４−１を受信する（ステップＳ１）と、ユーザデータ１０４−１と既に設定されている諸情報からＤＳＣＨフレーム１０４を生成する（処理工程Ｐ１）。その後、ＤＳＣＨフレーム１０４の送信タイミングが決定される（処理工程Ｐ２）。
【００１８】
続いて、シグナリングデータが生成された（処理工程Ｐ３）後、ＤＳＣＨフレーム送信タイミングから、前記遅延時間ΔTに基づいてシグナリングデータの送信タイミングが決定される（処理工程Ｐ４）。シグナリングデータは、シグナリング送信タイミングに従って基地局１０２を経由して移動機１０３に送信される（ステップＳ２）。
【００１９】
移動機１０３は、シグナリングデータを受信すると、ＰＤＳＣＨ上に受信すべきＤＳＣＨフレームが存在することを認識し、該当のＤＳＣＨフレームの受信準備を開始する（処理工程Ｐ５）。その後、無線ネットワーク制御装置１０１は、前記ＤＳＣＨフレーム送信タイミングに従って、ＤＳＣＨフレームを基地局１０２を経由して移動機１０３に対して送信する（ステップＳ３）。
【００２０】
移動機１０３は、該当のＤＳＣＨフレームを受信した後、データ内の移動機識別子ＩＤ１０４−２を自ＩＤと比較し（処理工程Ｐ６）、一致していれば、その後のデータ処理を行う。また、ＤＳＣＨフレームデータ内の移動機ＩＤ１０４−２と自ＩＤが一致していなければ、このＤＳＣＨフレームは破棄する（処理工程Ｐ７）。
【発明の開示】
【００２１】
上記のように、ＤＳＣＨは、多数の移動機１０３が1つのチャネルを共有するため、高速・高効率な無線通信を実現できることは前述した通りである。しかしながら、図１に示したように１つの送信スロットでは、１つの移動機１０３に対してのみの送信が可能である。そして、送信スロット（図１Ｃ参照）において送信されたＤＳＣＨフレームを複数の移動機１０３が同時に受信することはできない。
【００２２】
今後、通信レートの向上に伴い、音楽配信や映像配信といった大容量サービスの充実が予想されるが、このように同じデータを複数の移動機１０３に配信する際に、現在の技術におけるＤＳＣＨを用いた場合には、上記の制限から、全く同じデータを、受信する移動機数分だけ送信する必要がある。したがって、無線および有線伝送路の使用効率の観点で無駄が多いばかりでなく、各移動機向けのデータ量が積算された結果、ＤＳＣＨのレートを圧迫し、通信品質の低下を招くことにつながると考えられる。
【００２３】
こうした問題は、インフラ設備を増強することにより、表面的には解決可能であるが、その結果、インフラ設備のコスト、ひいては、通信料金の増加につながるとともに、今後のサービス形態の多様化とその発展に歯止めをかけることになりかねない。
【００２４】
したがって、本発明の目的は、今後の通信レートの向上により、多様化するサービス、特に配信系サービス（マルチキャストサービス）を実現するうえで、現状のＤＳＣＨ技術を基本に効率的な通信方法および装置を提供することにある。
【００２５】
さらに、開発コストや開発期間の観点から、既存の３ＧＰＰの規定に極力変更が入らないようにすることが重要である。また、ＤＳＣＨは、移動機に対して個別ＣＨが設定されている場合にのみ受信可能であるという特色を持っている。かかる点から、本発明の目的は、例えば、通話中にのみＤＳＣＨ上にデータ配信を行うなどといった更に新しいサービスの実現に向けた通信方法および装置を提供することにある。
【００２６】
かかる目的に対応する本発明の通信方法および装置の特徴は、それぞれ１つ以上の３ＧＰＰ等で規定される通信プロトコルを実装した無線ネットワーク制御装置、基地局および移動機から構成され、ＤＳＣＨを使用して、前記１つ以上の移動機に対してデータのマルチキャスト通信を行うことを特徴とする。
【００２７】
さらに、本発明に従う前記無線ネットワーク制御装置は、内部にＤＳＣＨを処理する機能部を有し、更に、ＤＳＣＨ通信およびＤＳＣＨマルチキャスト通信に関する各種設定情報を格納するテーブル手段を具備していることを特徴とする。これらの情報に従って、１つ以上の移動機に対して、ＤＳＣＨを使用したマルチキャスト通信（ユニキャスト通信含む）を実現する。
【００２８】
また、本発明に従う基地局は、無線ネットワーク制御装置から受信したＤＳＣＨデータや前記シグナリングデータを、無線回線を通して移動機に送信する機能を有する。
【００２９】
さらに、移動機は、通常の機能に加えて、ＤＳＣＨ上のデータがユニキャストされたものであるか、マルチキャストされたものであるかについての識別機能を有する。
【００３０】
本発明の更なる特徴は、以下に図面に従い説明される発明の実施の形態例から明らかになる。
【発明を実施するための最良の形態】
【００３１】
図３は、本発明に従うマルチキャストＤＳＣＨ通信方法の概要を説明する図である。図４は、図３のマルチキャストＤＳＣＨ通信方法の動作シーケンス図である。
【００３２】
図１で説明したように、１つの送信スロットあたりに１つの移動機しかデータを受信できないのは、ＤＳＣＨフレーム内に存在する移動機ＩＤのためであった。
【００３３】
したがって、本発明では、図３Ｂに示すように、ユーザデータ格納部分３０６−１と移動機識別子ＩＤ格納部分３０６−２により構成されるＤＳＣＨフレーム３０６の移動機ＩＤ格納部分３０６−２に、マルチキャスト用の識別情報（マルチキャストＩＤ）を格納する。
【００３４】
これにより、複数の移動機３００〜３０２が１つのＤＳＣＨフレーム３０６を同時受信できるようにする。図３Ａでは、複数の移動機３００〜３０２が、各々のＤＰＣＨでシグナリングデータを受信した後に、上記マルチキャストＩＤを使用したＤＳＣＨフレーム３０６を同時に受信する様子を示している。
【００３５】
さらに図４を用いて、図３で説明したＤＳＣＨを用いたマルチキャスト通信時のシーケンスについて説明する。無線ネットワーク制御装置３０３は、コアネットワーク１００（図３では図示省略）からユーザデータを受信すると（ステップＳ１１）、該当のユーザデータがマルチキャストされるべきものかどうかを判定し、マルチキャストの対象でない場合には、図２に説明したシーケンスに従いユニキャスト処理を行う。
【００３６】
上記コアネットワーク１００から受信したユーザデータがマルチキャストの対象であった場合には、無線ネットワーク制御装置３０３において、該当のユーザデータと既に設定されている諸情報から図３ＢのＤＳＣＨフレーム３０６を生成する（処理工程Ｐ１１）。
【００３７】
その後、ＤＳＣＨフレーム３０６の送信タイミングが決定される（処理工程Ｐ１２）。この際、ＤＳＣＨフレーム３０６には、図３で説明したマルチキャストＩＤ格納領域３０６−２にマルチキャストＩＤが格納される。
【００３８】
次に、無線ネットワーク制御装置３０３は、内部に設定されているマルチキャストに関する情報を基に、マルチキャストをする移動機３００〜３０２を選定し（処理工程Ｐ１３）、該当のマルチキャスト対象移動機毎に、シグナリングデータの生成およびシグナリングフレームの送信タイミングを決定する（処理工程Ｐ１４）。
【００３９】
シグナリングデータのそれぞれは、上記シグナリング送信タイミングに従って、基地局３０４を経由してマルチキャスト対象となっている全移動機３００〜３０２に送信される（ステップＳ１２）。各移動機は、シグナリングを受信すると、ＰＤＳＣＨ上に受信すべきＤＳＣＨフレームが存在することを認識し、該当のＤＳＣＨフレームの受信準備を開始する（処理工程Ｐ１４−１〜Ｐ１４−３）。
その後、無線ネットワーク制御装置３０３は、前記ＤＳＣＨフレーム送信タイミングに従い、基地局３０４経由でＤＳＣＨフレームを移動機３００〜３０２に対して送信する（ステップＳ１３）。
【００４０】
各移動機は、上記で送信されたＤＳＣＨフレーム３０６を一斉に受信した後、それぞれ受信データ内の移動機識別子ＩＤをチェックし（処理工程Ｐ１５）、識別子ＩＤがマルチキャストＩＤに合致すれ場、該当の受信データの処理を続行する（処理工程Ｐ１６）。マルチキャストＩＤでなかった場合には、図２のシーケンスにおける処理工程Ｐ６において、それぞれの移動機の自ＩＤとを比較し、一致していれば、その後のデータ処理を行う。また、受信データ内ＩＤと自ＩＤも一致していなければ、ＤＳＣＨフレーム３０６は破棄する（処理工程Ｐ７）。
【００４１】
ここで、上記本発明に従うシーケンスにおける該当の処理を実行する無線ネットワーク制御装置３０３の実施形態例を説明する。
【００４２】
図５に本発明における無線ネットワーク制御装置３０３の一実施形態を示す。
【００４３】
無線ネットワーク制御装置３０３は、ＤＳＣＨ処理部５００、マクロダイバーシチ処理部５０５、主制御部５０７、回線終端部５０６から構成され、それぞれの機能部は、装置内バス５０１で接続されている。
【００４４】
マクロダイバーシチ処理部５０５は、移動通信において特徴的な技術であるマクロダイバーシチを実現するための機能部である。マクロダイバーシチは、あるノードとある移動機間で複数のチャネルを設定し、送信側では複数のチャネル全てに同一のデータを複製し送信する。受信側では複数のチャネルで受信した同一データのうち、最も品質の高いものを選択することにより、ハンドオーバー時等の通信品質を向上させるために使用される。
【００４５】
すなわち、マクロダイバーシチ処理部５０５は主に以下の２つの処理を行う。
（１）コアネットワーク１００側から受信したある移動機向けのデータを、該当の移動機に設定されたチャネル数分だけ複製し、この設定された全てのチャネル上で前記移動機に対して送信を行う。
（２）ある移動機から複数のチャネルで受信したデータそれぞれの品質を判定し、最も品質のよいデータを選択し、コアネットワーク１００側へ転送する。
【００４６】
回線終端部５０６は、コアネットワーク１００側、基地局３０４側などの全回線を終端する機能を有し、チャネルによって適切な装置内の処理ブロックあるいは、他ノードへデータを転送する。
【００４７】
主制御部５０７は、装置内の各機能ブロックへ諸情報を設定するほか、他ノードとの間で制御情報のやりとりを行う機能を有する。
【００４８】
ＤＳＣＨ処理部５００は、内部にＤＳＣＨのフレーム生成、送信タイミング調整等を行うＤＳＣＨフレーム処理部５０４、ＤＳＣＨを用いたマルチキャストに関する情報を格納するマルチキャスト設定テーブル５０２、通常のＤＳＣＨ通信のための情報を格納するＤＳＣＨ設定テーブル５０３を有して構成される。
【００４９】
主制御部５０７などから受信した制御情報は、前記のマルチキャスト設定テーブル５０２や、ＤＳＣＨ設定テーブル５０３に設定格納される。こうして設定格納された諸情報は、ＤＳＣＨフレーム処理部５０４によって、フレーム生成処理や送信タイミング決定などの処理の際に参照される。
【００５０】
なお、図５の実施形態例では、ＤＳＣＨ処理部５００とマクロダイバーシチ処理部５０５を別機能ブロックとしているが、これらＤＳＣＨ処理部５００とマクロダイバーシチ処理部５０５を単一機能ブロック内で構成することも本質的に可能である。
【００５１】
図６にマルチキャスト設定テーブル５０２の実施例を示す。マルチキャスト設定テーブル５０２の構成は、１つの行が、１つのマルチキャストグループの設定情報を示しており、この設定情報は、（ａ）マルチキャストチャネル識別子ＩＤと、（ｂ）ＤＳＣＨ識別子ＩＤと、（ｃ）該当のマルチキャストグループに参加している移動機の数と、（ｄ）その移動機の識別子ＩＤから構成されている。
【００５２】
以下にそれぞれの設定情報の詳細について説明する。
（ａ）[マルチキャストチャネル識別子ＩＤ]
無線ネットワーク制御装置３０３とコアネットワーク１００間に設定されたマルチキャストデータ配信用チャネルの識別子である。ここでは、１つのマルチキャストチャネルは、必ず１つのＤＳＣＨへマッピングされることとするが、テーブルの構成によっては、１つのマルチキャストチャネルを複数のＤＳＣＨへマッピングすることも可能である。
（ｂ）[ＤＳＣＨ識別子ＩＤ]
ＤＳＣＨに付与される識別子である。ここにおいても１つのＤＳＣＨに１つのマルチキャストチャネルがマッピングされることとするが、テーブルの構成によっては、１つのＤＳＣＨに複数のマルチキャストチャネルをマッピングすることも可能である。
（ｃ）[移動機数]
前記ＤＳＣＨ識別子ＩＤで示されるＤＳＣＨにおいて、マルチキャストグループに参加している移動機の数を表す。
（ｄ）[移動機識別子ＩＤ]
マルチキャストグループに参加している移動機の識別であり、前記の移動機の数分だけ列挙される。
【００５３】
図７に、ＤＳＣＨ設定テーブル５０３の実施例を示す。ＤＳＣＨ設定テーブル５０３の構成は、１つの行が、１つのＤＳＣＨに関する設定情報を示しており、設定情報は、（ａ）個別チャネル識別子ＩＤと、（ｂ）ＤＳＣＨ識別子ＩＤと、個別チャネル識別子ＩＤに対応する（ｃ）移動機の識別子ＩＤと、移動機に対して設定されている信号送信時の（ｄ）タイミングオフセットから構成されている。
【００５４】
以下にそれぞれの設定情報の詳細について説明する。
（ａ）[個別チャネル識別子ＩＤ]
無線ネットワーク制御装置３０３とコアネットワーク１００間に設定されたそれぞれの移動機にユニークに割り当てられたチャネルの識別子である。１つの個別チャネルは、必ず１つのＤＳＣＨへマッピングされる。
（ｂ）[ＤＳＣＨ識別子ＩＤ]
ＤＳＣＨに付与される識別子である。１つのＤＳＣＨに１つの個別チャネルがマッピングされる。
（ｃ）[移動機識別子ＩＤ]
個別チャネルが割り当てられている移動機の識別子ＩＤである。
（ｄ）[タイミングオフセット]
無線ネットワーク制御装置内の基準タイミングからのずれ分を表し、移動機に  対しては、該基準タイミングから該オフセット分だけタイミングを補正して送  信する。
【００５５】
図８、図９は、それぞれマルチキャスト設定テーブル５０２およびＤＳＣＨ設定テーブル５０３内にどのような情報が設定されるかを図１０に示すシステム状態の具体例に対応して示す図である。
【００５６】
図１０は、無線ネットワーク制御装置３０４のみ示し、基地局３０４は図示省略している。この具体例では、３つのＤＳＣＨ＃０〜＃２が設定され、ＤＳＣＨ＃０にはマルチキャストチャネルＭＣ#ＣＨ＃０、＃１と、個別チャネルＣＨ＃０〜＃２が収容され、ＤＳＣＨ＃１にはマルチキャストチャネルＭＣ#ＣＨ＃２と、個別チャネルＣＨ＃３〜＃６が収容され、ＤＳＣＨ＃２には個別チャネルＣＨ＃７〜＃８が収容される。
【００５７】
さらに、ＤＳＣＨ＃０を介して移動機＃０〜＃２が通信を行い、移動機＃０と＃２はマルチキャスト参加移動機であり、移動機＃１はマルチキャストに不参加の移動機である。
【００５８】
また、ＤＳＣＨ＃１を介して移動機＃３〜＃５が通信を行い、そのうち移動機＃３〜＃５はマルチキャスト参加移動機であり、移動機＃６はマルチキャストに不参加の移動機である。さらに、ＤＳＣＨ＃２を介して移動機＃７、＃８が通信を行い、これらの移動機はマルチキャスト不参加である。
【００５９】
かかる図１０の状態に対して、図８のマルチキャスト設定テーブル５０２は、（ａ）いずれのマルチキャストチャネルが、（ｂ）いずれのＤＳＣＨに収容され、（ｃ）マルチキャスト参加移動機の数と（ｄ）参加移動機の識別子ＩＤが登録されている。
【００６０】
一方、図９のＤＳＣＨ設定テーブル５０３には、（ａ）個別チャネルＩＤ毎の、（ｂ）収容される対象のＤＳＣＨ識別子ＩＤと、（ｃ）対応の移動機識別子ＩＤ  が登録されている。
【００６１】
図１１は、システムが起動してからマルチキャスト通信開始までの処理シーケンスについて示す図である。
【００６２】
移動ネットワークすなわち、無線ネットワーク制御装置３０３および基地局３０４が起動すると、該当ノード間で定められた手順に従って各種設定が行われる（処理工程Ｐ２１）。この際に、本発明で使用するＤＳＣＨの設定も行われる（処理工程Ｐ２２）。
【００６３】
ＤＳＣＨの設定が完了すると、次に、コアネットワーク１００側と無線ネットワーク制御装置３０３との間で、マルチキャスト用のデータチャネルの設定が行われる（処理工程Ｐ２３）。図１１には記載省略されているが、マルチキャスト用データチャネルは、例えば、コアネットワーク１００内のデータ配信サーバ等に接続されることを想定している（処理工程Ｐ２４）。
【００６４】
マルチキャスト用データチャネルの設定完了後、設定されたマルチキャスト用データチャネルとＤＳＣＨとのマッピング情報に従って、無線ネットワーク装置内のマルチキャスト設定テーブル５０２が更新される（処理工程Ｐ２４）。
【００６５】
その後、データ配信サーバ等からマルチキャストデータの送信が開始される（ステップＳ２１）。このとき、必ずしも、マルチキャストデータを受信する移動機が存在していなくてもよい。あるいは、マルチキャストデータの送信は止めておき、マルチキャストデータを受信する移動機が登録された時点で、サーバ側へ前記データ送信開始要求を出すことも可能である。
【００６６】
その後、ある移動機が呼接続し（処理工程Ｐ２５）、その後、所定の手順によりＤＳＣＨを使用するよう切替え判断が行われる（処理工程Ｐ２６）と、無線ネットワーク制御装置は、該移動機を前記ＤＳＣＨ設定テーブル５０３に追加する（処理工程Ｐ２７）。
その後に、ＤＳＣＨへの切替え指示を基地局３０４を経由して、該当移動機３００に対して送信する（ステップＳ２２）。
【００６７】
移動機３００が、ＤＳＣＨへの切替え指示を受信すると、切替え指示信号に含まれるＤＳＣＨ受信のためのパラメータを抽出し設定を行う（処理工程Ｐ２８）。
【００６８】
さらに、該当の移動機３００は、ＤＳＣＨに適用されているマルチキャスト通信に参加するかどうかの判定を行い（処理工程Ｐ２９）、その有無も含め、ＤＳＣＨ切替え完了の応答メッセージを、基地局を介して無線ネットワーク制御装置に対して返送する（ステップＳ２３）。
【００６９】
ここで、移動機３００がマルチキャスト通信に参加するかどうかの判定は、あらかじめ、ユーザが移動機内に設定しておく方法や、ネットワーク内に設定しておく方法などが考えられる。
【００７０】
無線ネットワーク制御装置３０３が、移動機３００からＤＳＣＨ切替え応答を受信し、マルチキャストへの参加要求があれば、内部のマルチキャスト設定テーブル５０２に該当移動機を追加し更新する（処理工程Ｐ３０）。
【００７１】
なお、上記の移動機がマルチキャスト通信に参加するかどうかの判定方法として、ネットワーク内に設定しておく方法を取った場合には、前記移動機からのＤＳＣＨ切替え応答受信時にネットワーク１００内で認証処理を行い、マルチキャスト通信に参加しているようであれば、前記マルチキャスト設定テーブル５０２への移動機追加処理を実行する。
【００７２】
マルチキャスト設定テーブル５０２に移動機が追加された後は、サーバ等からデータが配信され(ステップＳ２４)、この配信データは、無線ネットワーク制御装置３０３内のＤＳＣＨ処理部５００において、ＤＳＣＨフレームが組立てられるとともに、送信タイミングが決定される（処理工程Ｐ３１）。その後、追加された移動機に対してシグナリング（ステップＳ２５）と、ＤＳＣＨフレームの送信が行われる(ステップ２６)。
【００７３】
一方、移動機側が、無線ネットワーク制御装置３０３が送信したシグナリングを受信後、ＤＳＣＨ受信処理を起動し（処理工程Ｐ３２）、ＤＳＣＨフレームの受信処理（処理工程Ｐ３３）は、図２(処理工程Ｐ６、Ｐ７)、図４（処理工程Ｐ１５、Ｐ１６）で説明した通りである。
【００７４】
図１２は、シグナリング方法の具体例を示したものである。
シグナリングは、移動機毎に送信する必要があるため、シグナリング送信用チャネルも移動機単位で設定する必要がある。
【００７５】
３ＧＰＰでは、シグナリング送信用チャネルとして、ＤＣＨを使用する方法と、シグナリング用に新たにチャネル（シグナリングベアラ）を設定する方法の２通りを規定している。図１２において、上記２つの場合について、実際に無線ネットワーク制御装置３０３内で、どのようにしてシグナリングが送信されるかについて説明する。
【００７６】
前述の通り、シグナリングはＤＳＣＨ上にデータを送信する際に生成・送信されるため、シグナリングの送信契機はＤＳＣＨ処理部５００により作られる。  
【００７７】
以下に４つの実施例について説明する。
[事例（Case）Ａ]
図１２Ａに示す事例（Case）Ａでは、シグナリングがＤＣＨで送信される場合である。図５に記載した実施形態に従うとＤＣＨはマクロダイバーシチ処理部５０５が終端しているため、ＤＳＣＨ処理部５００はシグナリング送信時には、マクロダイバーシチ処理部５０５に対してシグナリング送信指示を出すことが必要である。
【００７８】
この際に、マクロダイバーシチ処理部５０５は、どの移動機（ＤＣＨ）に対してシグナリングを送信するかを認識する必要があるため、ＤＳＣＨ処理部５００は、マクロダイバーシチ処理部５０５に対して、シグナリング送信指示とともに、送信対象となる移動機の識別子ＩＤも渡す必要がある。この際、ＤＳＣＨ処理部５００とマクロダイバーシチ処理部５０５間の送信指示と移動機識別子ＩＤの受渡しには、図５の装置内バスを用いる方法や、情報受渡しのために専用の制御路を設ける方法などが考えられる。
【００７９】
マクロダイバーシチ処理部５０５は、ＤＳＣＨ処理部５００から受け取った、シグナリング送信指示と移動機識別子ＩＤからシグナリングデータを生成し、このシグナリングデータを対応するＤＣＨ上で送信する。なお、図５には図示省略していないが、マクロダイバーシチ処理部５０５は、内部に移動機識別子ＩＤとＤＣＨのマッピングテーブル手段を具備している。
[事例（Case）Ｂ]
図１２Ｂに示す事例（Case）Ｂも、シグナリングがＤＣＨで送信される場合である。図１２Ａのケースと異なるのは、シグナリングデータの生成・送信はＤＳＣＨ処理部５００で行い、シグナリングデータのＤＣＨへのマッピングは回線終端部５０６で行う方法について特徴を有する。
【００８０】
ＤＳＣＨ処理部５００は、マクロダイバーシチ処理部５０５が終端するＤＣＨのチャネルと同一のチャネルＩＤを用いて、回線終端部５０６に対して、シグナリングデータの送信を行う。ＤＳＣＨ処理部５００がシグナリングを送信したチャネルＩＤは、シグナリングを受信すべき移動機に対応するＤＣＨのＩＤと一致するため、シグナリングデータは、回線終端部５０６でＤＣＨに合流し、基地局３０４を通して対応する移動機に対して送信される。
【００８１】
なお、この場合、ＤＳＣＨ処理部５００は、登録されている移動機に対応するＤＣＨのチャネルＩＤも同時に認識しておく必要があるが、これは、図７に示したＤＳＣＨ設定テーブル５０３に追加情報として格納しておくことで可能である。
[事例（Case）Ｃ]
図１２Ｃに示す事例（Case）Ｃでは、ＤＳＣＨ処理部５００と基地局３０４との間で、シグナリング用のチャネル（シグナリングベアラ）を新たに設定する。このチャネルを使用してシグナリングデータを送信する実施例である。この場合、ＤＳＣＨ処理部５００において生成されたシグナリングデータは、そのままＤＳＣＨ処理部５００が終端するシグナリングベアラで送信される。
[事例（Case）Ｄ]
図１２Ｄに示す事例（Case）Ｄでは、マクロダイバーシチ処理部５０５と基地局３０４との間で、シグナリング用のチャネル（シグナリングベアラ）を新たに設定し、このチャネルを使用してシグナリングデータを送信する場合の実施例である。この場合も、事例（Case）Ａと同様である。
【００８２】
図１３は、無線ネットワーク制御装置３０３、特に、ＤＳＣＨ処理部５００とマクロダイバーシチ処理部５０５におけるＤＳＣＨ送信時の処理フローを示す図である。この際、シグナリングの方法としては、図１２Ａの事例（Case）Ａを使用する。
【００８３】
ＤＳＣＨ処理部５００は、コアネットワーク１００側からデータを受信すると（処理工程Ｐ４０、Ｙｅｓ）、受信データのチャネルＩＤを抽出する（処理工程Ｐ４１）。ＤＳＣＨ処理部５００は、マルチキャスト設定テーブル５０２を参照し、処理工程Ｐ４１で抽出したチャネルＩＤがマルチキャスト設定テーブル５０２内に存在するか調べる（処理工程Ｐ４２）。
【００８４】
処理工程Ｐ４１で抽出したチャネルＩＤが、マルチキャスト設定テーブル５０２内に存在する場合（処理工程Ｐ４２、Ｙｅｓ）には、ＤＳＣＨ処理部５００は、マルチキャスト設定テーブル５０２からＤＳＣＨ−ＩＤとＤＳＣＨに属する全ての移動機ＩＤを抽出する（処理工程Ｐ４４）。
【００８５】
ついで、マルチキャスト設定テーブル５０２内に、移動機ＩＤが１つも存在しない場合（処理工程Ｐ４５、Ｎｏ）、ＤＳＣＨ設定テーブル５０３内にない（処理工程Ｐ４３、Ｎｏ）時は、データは破棄される（処理工程Ｐ４６）。
【００８６】
マルチキャスト設定テーブル５０２内に、移動機ＩＤが１つ以上存在する場合（処理工程Ｐ４５、Ｙｅｓ）、ＤＳＣＨ処理部５００は、処理工程Ｐ１で受信したデータにマルチキャストＩＤを付与し、ＤＳＣＨフレームを生成する（処理工程Ｐ４７）。
【００８７】
一方、処理工程Ｐ４２において、処理工程Ｐ４１で抽出したチャネルＩＤがマルチキャスト設定テーブル５０２内に存在しない場合（処理工程Ｐ４２、Ｎｏ）には、ＤＳＣＨ処理部５００は、抽出したチャネルＩＤがＤＳＣＨ設定テーブル５０３内に存在するかどうか調べる（処理工程Ｐ４８）。
【００８８】
処理工程Ｐ４８において、前記抽出したチャネルＩＤがＤＳＣＨ設定テーブル５０３内に存在しない場合には、ＤＳＣＨ処理部５００により、処理工程Ｐ４０で受信したデータは破棄される（処理工程Ｐ４９）。
【００８９】
処理工程Ｐ４９において、抽出したチャネルＩＤがＤＳＣＨ設定テーブル５０３内に存在する場合（処理工程Ｐ４８、Ｙｅｓ）には、ＤＳＣＨ処理部５００は、ＤＳＣＨ設定テーブル５０３からＤＳＣＨ−ＩＤと移動機ＩＤを抽出する（処理工程Ｐ５０）。その後、抽出した移動機ＩＤを処理工程Ｐ１で受信したデータに付与し、ＤＳＣＨフレームを生成する（処理工程Ｐ５１）。
【００９０】
ついで、処理工程Ｐ４７、Ｐ５１でＤＳＣＨフレームが生成された後、ＤＳＣＨ処理部５００は、生成されたＤＳＣＨフレームの送信タイミングを決定する（処理工程Ｐ５２）とともに、ＤＳＣＨ設定テーブル５０３から該当のＤＳＣＨに対応する移動機のタイミングオフセットを取得する（処理工程Ｐ５３）。
【００９１】
これにより、ＤＳＣＨフレーム送信タイミングと移動機のタイミングオフセットからシグナリングデータの送信タイミングを算出する（処理工程Ｐ５４）。
【００９２】
その後、ＤＳＣＨ処理部５００は、処理工程Ｐ５４で決定したシグナリング送信タイミングに従って、移動機ＩＤとともにシグナリング送信指示をマクロダイバーシチ処理部５０５に対して通知する（処理工程Ｐ５５）。
【００９３】
マクロダイバーシチ処理部５０５は、ＤＳＣＨ処理部５００から渡された移動機ＩＤとシグナリング送信指示により、シグナリングフレームを生成し、対応するＤＣＨ上にシグナリングフレームを送信する（処理工程Ｐ５６）。
【００９４】
ここで、上記処理工程Ｐ５２〜Ｐ５６の処理は、移動機の数だけ実行する。その後、ＤＳＣＨ処理部５００は、処理工程Ｐ５２で決定したＤＳＣＨフレーム送信タイミングに従って、処理工程Ｐ４７あるいは、処理工程Ｐ５１で生成したＤＳＣＨフレームをＤＳＣＨ上で送信する（処理工程Ｐ５７）。
【００９５】
図１４は、移動機におけるＤＳＣＨ受信時の処理フローを示す図である。図１４において、移動機には既に所定の手順により個別チャネル（ＤＣＨ、ＤＰＣＨ）が設定されているものとする。
【００９６】
移動機がＤＰＣＨ上でシグナリングを受信する（処理工程Ｐ６０、Ｙｅｓ））と、ＤＳＣＨ受信準備を開始し（処理工程Ｐ６１）、ＰＤＳＣＨ上のＤＳＣＨフレームを受信する（処理工程Ｐ６２）。
【００９７】
その後、ＤＳＣＨフレームのエラーチェックが行われ（処理工程Ｐ６３）、ここで、データに異常があれば、受信ＤＳＣＨフレームは破棄される（処理工程Ｐ６４）。
【００９８】
受信ＤＳＣＨフレームが正常であった場合（処理工程Ｐ６３、Ｙｅｓ）、ＤＳＣＨフレーム内の識別子ＩＤがチェックされ（処理工程Ｐ６５）、該当の識別子ＩＤがマルチキャストＩＤであった場合（処理工程Ｐ６６、Ｙｅｓ）には、マルチキャストデータとしてのデータ処理が行われる（処理工程Ｐ６７）。
【００９９】
一方、処理工程Ｐ６６でマルチキャストＩＤでなかった場合には、ＤＳＣＨフレーム内ＩＤが自識別子ＩＤと比較され（処理工程Ｐ６８）、自識別子ＩＤとも一致しなかった場合（処理工程Ｐ６８、Ｎｏ）には、受信ＤＳＣＨフレームは破棄される（処理工程Ｐ６４）。
【０１００】
自識別子ＩＤと一致した場合（処理工程Ｐ６８、Ｙｅｓ）には、通常のユニキャストデータとしての処理が行われる（処理工程Ｐ６７）。
【０１０１】
ここで、基地局３０４から制御フレームを受信した際の動作について、図１５により説明する。３ＧＰＰでは、無線ネットワーク制御装置３０３と基地局３０４との間でいくつかの制御フレームが定義されている。その１つにタイミングアジャストメント（Timing Adjustment）と呼ばれる制御フレームがある。これは、無線ネットワーク制御装置と基地局との間で設定されているチャネルのタイミングを補正するために使用される。
【０１０２】
タイミングアジャストメント（Timing Adjustment）制御フレームは、無線ネットワーク１００が送信したデータが、基地局３０４において適切なタイミングで受信されなかった場合に、基地局３０４から無線ネットワーク制御装置３０３に対して、適切な受信タイミングとの差分を格納して送信される。また、タイミングアジャストメント（Timing Adjustment）制御フレームは、送信タイミングが異常となったチャネルを使用して返信される。
【０１０３】
無線ネットワーク制御装置３０３は、タイミングアジャストメント（Timing Adjustment）制御フレームを受信すると、受信したチャネルに関して、フレームに格納された補正すべてタイミング分だけ自装置内の送信タイミングを補正して、以後データ送信を行う。
【０１０４】
タイミングアジャストメントの詳細については、３ＧＰＰTS25.402に詳細に規定されている。
【０１０５】
ＤＳＣＨを使用したデータ通信システムでは、ＤＳＣＨフレームを送信する直前に、移動機に対してシグナリングデータを送信するが、シグナリングデータの送信タイミングが、個別チャネル（ＤＣＨ、ＤＰＣＨ）の送信タイミングに基づいていることは前述の通りである。
【０１０６】
したがって、仮に通常の個別チャネルにおける通信中に、個別チャネルにおける送信タイミングに異常が発生し、当該個別チャネルに対して、上記タイミングアジャストメント（Timing Adjustment）制御フレームが送信されてきた場合には、該当の個別チャネルの送信タイミングを補正するだけでなく、ＤＳＣＨ処理部５００内のＤＳＣＨ設定テーブル５０３に格納されている移動機毎のタイミングオフセットも補正する必要がある。
【０１０７】
ここでは、上記のように、個別チャネル上でタイミングアジャストメント（Timing Adjustment）制御フレームが発生した際に、制御情報（この場合タイミング補正値）をＤＳＣＨ処理部５００にも通知する方法について記載する。
なお、以下の方法は、個別チャネルに関連するその他の制御フレームについても同様に適用可能なものである。
【０１０８】
図１５Ａ〜図１５Ｃは、タイミングアジャストメント（Timing Adjustment）制御フレーム受信時の制御情報をＤＳＣＨ処理部５００に通知するための方法として、事例（Case）Ａ、事例（Case）Ｂ、事例（Case）Ｃの３パターンを示したものである。以下、これら３パターンについて説明する。
[事例（Case）Ａ]
図１５Ａに示す事例（Case）Ａでは、ＤＣＨ上で送信されてきたタイミングアジャストメント（Timing Adjustment）制御フレームは、マクロダイバーシチ処理部５０５で終端され、制御フレームからＤＣＨに対するタイミング補正値が抽出される。
【０１０９】
マクロダイバーシチ処理部５０５は、前記補正値により、自処理部内の該当するＤＣＨのタイミング補正を行う。マクロダイバーシチ処理部５０５は前記補正値と移動機ＩＤをＤＳＣＨ処理部５００に通知する。これにより、ＤＳＣＨ処理部５００は、補正値及び移動機ＩＤに基づき、ＤＳＣＨ設定テーブル５０３内の該当する移動機に対応するタイミングオフセット量を補正する。
[事例（Case）Ｂ]
図１５Ｂに示す事例（Case）Ｂにおいて、回線終端部５０６は、マクロダイバーシチ処理部５０５で終端される個別チャネル上に送信される上りデータを全て複製し、ＤＳＣＨ処理部５００に対しても送信を行う。
【０１１０】
ＤＳＣＨ処理部５００は、回線終端部５０６から送信されてくる個別チャネル上の上りデータを逐一監視し、タイミングアジャストメント（Timing Adjustment）制御フレームのような制御フレームのみを受信し、通常のユーザデータは破棄するようにする。これによりＤＳＣＨ処理部５００も個別チャネル上のタイミング補正量を知ることができる。
[事例（Case）Ｃ]
図１５Ｃに示す事例（Case）Ｃでは、無線ネットワーク制御装置３０３と基地局３０４との間に制御フレーム専用のチャネルを個別チャネルと同数分だけ設定し、個別チャネル上で、基地局３０４から無線ネットワーク制御装置３０３に対して制御フレームを送信する。その際には、基地局３０４内で、制御フレームを複製した後に該当の個別チャネルと、該当の制御フレーム専用チャネル上に複製した制御フレームのそれぞれを送信する。
【０１１１】
ここで、本発明を適用して実現可能なマルチキャストＤＳＣＨを使用したサービスについて説明する。
【０１１２】
先に説明したとおり、移動機は、ＤＳＣＨ上のデータを受信するためには、必ず個別チャネル（ＤＰＣＨ）上において、シグナリングデータを受信する必要がある。
【０１１３】
これは、ＤＳＣＨを受信するためには、移動機は待ち受け状態（アイドル状態）ではなく、呼接続中である必要があるということである。すなわち、マルチキャストＤＳＣＨを使用したサービスの特色として、呼接続中にだけ、移動機に対してマルチキャスト配信されるサービスということができる。
【０１１４】
また、先において説明を省略したが、ＤＳＣＨは、通常エリア単位に１本から数本が設定されるものであり、移動機があるエリアから別のエリアに移動した際には、受信するＤＳＣＨの切替えを行うことになる。このことは、すなわち、ＤＳＣＨを使用したマルチキャスト通信のもう一つの特色として、エリア単位に異なった情報を配信可能であるということが言える。
【０１１５】
以上のことから、ＤＳＣＨを使用したマルチキャストサービスの特徴をまとめると、『呼接続中にある移動機だけを対象とした、エリアを意識したサービス』ということになる。
【０１１６】
なお、ＤＳＣＨは移動機が呼接続状態にならないと受信しないため、移動機は、待ち受け状態にマルチキャスト配信により無駄な電力を消費するなどといったこともない。
【０１１７】
以下では、こうしたサービスの例をいつくか記載する。
[実施例１：マルチキャストＤＳＣＨを使用したエリア情報配信サービス]
コアネットワーク内のサーバ手段等から、エリア毎に、該エリアに関連する情報を、マルチキャストＤＳＣＨを使用して常時配信しておき、移動機は、呼接続を行うこことで、該エリア配信情報を受信する。
[実施例２：マルチキャストＤＳＣＨを使用したBGM配信サービス]
コアネットワーク内のサーバ手段等から常に音楽データ等を送信し、これをＤＳＣＨを用いて、エリア内にマルチキャストする。移動機は、呼接続して通話中になると、ＤＳＣＨ上で該配信音楽データを受信し再生する。
こうすることで、相手と話をしながら、背景で該受信した音楽をBGMのようにして聞くことが可能となる。
【０１１８】
さらに、音楽データをエリア毎に別なものにすることで、地域毎に特色を出したサービスも可能になると考えら得る。これは、当然音楽データに限ったものではなく、聴覚的なものであれば全て同様のサービスが可能である。
【産業上の利用可能性】
【０１１９】
近年の移動通信技術の進歩により、通信レートおよび通信品質は飛躍的に向上してきている。この結果、サービスの形態も多様化し、音声通話だけでなく、画像や動画といった大量のデータを扱うサービスも開始されつつある。しかしながら、現在では、ユーザ主体のリクエスト型サービスが大半をしめており、ラジオやテレビといった高レートなブロードキャスト・マルチキャスト型のサービスは将来に委ねられているといってよい。
【０１２０】
こうした側面から見た場合、前述の通り、現在の第３世代移動通信技術、特に３ＧＰＰが規定するW-ＣＤＭＡ通信網では、今のところ効率的に高レートマルチキャストサービスを実現する最適な方法が提供されていないと考えられる。このことは、今後ますます多様化していくであろう通信サービスの発展を阻害する結果になりかねない。
【０１２１】
本発明によれば、３ＧＰＰにおけるＤＳＣＨ技術に若干の修正を行うだけで、効率的なマルチキャストサービスを実現することができる。また、『呼接続中にのみエリア単位の配信サービスを受信する』という非常に特徴のある技術的性質を応用することにより、これまで実現が難しかった様々なサービスが今後展開されていくことが期待され、移動通信市場の拡大につながると考えられる。
【０１２２】
さらに、こうしたサービスの多様化・拡大により、通信事業者は、ユーザからの通信費により収益を得る形態から、マルチキャストサービス供給者からの通信網使用料を得る方向に切替えることにより、現状ユーザが負担している通信費を低減させることが可能となり、結果として、さらなる市場の拡大につながるものと考えられる。
【０１２３】
（付記１）ネットワークに接続される無線ネットワーク制御装置と、
基地局と、
前記基地局と接続される一以上の移動機を有し、
前記無線ネットワーク制御装置から、下り共有チャネルを用いて前記一以上の移動機にデータを送信する移動通信システムであって、
前記ネットワークに存在するデータサーバ手段と前記無線ネットワーク制御装置間に、マルチキャストデータを送信するためのチャネルを設定し、
前記設定されるチャネルを前記下り共有チャネルにマッピングすることを特徴とする移動通信システム。
【０１２４】
（付記２）付記１において、
前記無線ネットワーク制御装置内に一以上のチャネルと前記下り共有チャネルとの対応関係を記憶するためのマッピングテーブル手段を備え、
前記マッピングテーブル手段を参照して、前記マルチキャストデータを送信するためのチャネルを適切な下り共有チャネルにマッピングすることを特徴とする移動通信システム。
【０１２５】
（付記３）付記２において、
前記マッピングテーブル手段は、下り共有チャネル毎に、マルチキャストの対象となる移動機の識別子を格納し、前記識別子で示される移動機に対して、データをマルチキャストすることを特徴とする移動通信システム。
【０１２６】
（付記４）付記１において、
前記無線ネットワーク制御装置内に、コアネットワークと該無線ネットワークとの間で移動機毎に設定される個別チャネルと、前記下り共有チャネルとの対応関係を記憶するためのマッピングテーブル手段を具備し、
前記マッピングテーブル手段を参照することにより、前記個別チャネルを適切な下り共有チャネルへマッピングすることを特徴とする移動通信システム。
【０１２７】
（付記５）付記４において、
前記マッピングテーブル手段は、前記個別チャネル毎に、移動機の識別子を格納し、前記識別子で示される移動機に対して、データをユニキャストすることを特徴とする移動通信システム。
【０１２８】
（付記６）付記５において、
前記マッピングテーブル手段は、前記個別チャネル毎にタイミングオフセットを格納し、前記個別チャネルを用いてデータを送信する際に、前記タイミングオフセットに基づいた送信タイミングで対応する移動機に対してデータを送信することを特徴とする移動通信システム。
【０１２９】
（付記７）付記４〜６のいずれかにおいて、
前記無線ネットワーク制御装置は、前記下り共通チャネル上でデータをマルチキャストする際に、前記マッピングテーブル手段を参照して、マルチキャストの対象となる移動機を選定し、選定される移動機の全てに対して、適切なタイミングでシグナリングデータを送信することを特徴とする移動通信システム。
【０１３０】
（付記８）付記７において、
前記無線ネットワーク制御装置は、前記下り共通チャネルを用いてデータのマルチキャストを行う際に、送信する前記下り共通チャネルのデータフレーム内に、マルチキャストされたデータであることを表す識別情報を格納することを特徴とする移動通信システム。
【０１３１】
（付記９）付記８において、
前記移動機が、受信した下り共通チャネルのデータフレームが、マルチキャストされたものか否かを前記の識別情報を参照して判断することを特徴とする移動通信システム。
【０１３２】
（付記１０）付記８において、
前記移動機が、受信した下り共通チャネルのデータフレーム内に、マルチキャスト識別子ではなく、前記移動機の識別子が格納されていた場合に、前記移動機は、通常のユニキャスト受信を行うことを特徴とする移動通信システム。
【０１３３】
（付記１１）付記８において、
前記移動機が、受信した下り共通チャネルのデータフレーム内に格納された識別子が、マルチキャスト識別子でもなく、かつ、前記移動機の識別子でもない場合には、前記移動機は、前記受信したデータを破棄することを特徴とする移動通信システム。
【０１３４】
（付記１２）付記２において、
前記移動機が、前記無線ネットワーク制御装置から下り共通チャネルへの切替え指示を受信し、  
前記移動機が、前記無線ネットワーク制御装置に対して、前記切替え指示に対する応答メッセージを送信する際に、前記移動機が、前記応答メッセージ内にマルチキャストへの参加有無を表す情報を格納することを特徴とする移動通信システム。
【０１３５】
（付記１３）付記１２において、
前記無線ネットワーク制御装置が、前記切替え指示に対する応答メッセージ内のマルチキャストへの参加有無を参照し、"参加" であれば、前記応答メッセージを送信した移動機を前記マッピングテーブル手段に登録することを特徴とする移動通信システム。
【０１３６】
（付記１４）付記６において、
個別チャネル、あるいは、シグナリングデータ専用チャネル上で前記基地局から前記無線ネットワーク制御装置に対して、タイミング補正を促す制御データを受信した際に、前記タイミングオフセット情報を更新することを特徴とする移動通信システム。
【０１３７】
（付記１５）付記１において、
前記下り共通チャネルを用いて、呼接続状態にある移動機に対してのみ、マルチキャストデータ配信を行うことを特徴とする移動通信システム。
【０１３８】
（付記１６）付記１５において、
前記下り共通チャネルを用いて、呼接続状態にある移動機に対してのみ、マルチキャストデータ配信を行う際に、エリア毎に異なる配信内容とすることを特徴とする移動通信システム。
【０１３９】
（付記１７）移動機に接続される基地局と、ネットワークに接続される無線ネットワーク制御装置であって、
それぞれ装置内バス手段により接続される、主制御部と、下り共通チャネル処理を行う下り共通チャネル処理部と、マクロダイバーシチ機能を実現するためのマクロダイバーシチ処理部と、回線終端部を有し、
前記共通チャネル処理は、コアネットワークと前記無線ネットワーク制御装置との間に設定された、マルチキャストデータを送信するための1つ以上のチャネルと、前記下り共通チャネルとの対応関係を記憶するマッピングテーブルを備え、
前記マッピングテーブル手段を参照することにより、前記マルチキャストデータを送信するためのチャネルを適切な下り共通チャネルへマッピングして、
前記一以上の移動機にデータを送信することを特徴とする移動通信システムにおける無線ネットワーク制御装置。
【０１４０】
（付記１８）付記１７において、
前記下り共通チャネル処理部は、コアネットワークと前記無線ネットワーク制御装置との間に設定されたマルチキャストデータを送信するためのチャネルと１つ以上の下り共通チャネルとの対応関係を記憶するマッピングテーブルを備え、
前記マッピングテーブルを参照することにより、前記マルチキャストデータを送信するためのチャネルを適切な下り共通チャネルへマッピングすることを特徴とする無線ネットワーク制御装置。
【０１４１】
（付記１９）付記１８において、
前記マッピングテーブルは、前記１つ以上の下り共通チャネル毎に、マルチキャストの対象となる移動機の識別子を格納し、前記識別子で示される移動機に対して、データをマルチキャストすることを特徴とする無線ネットワーク制御装置。
【０１４２】
（付記２０）付記１７において、
前記下り共通チャネル処理部は、コアネットワークと前記無線ネットワークとの間に移動機毎に設定される個別チャネルと、前記下り共通チャネルとの対応関係を記憶するためのマッピングテーブルを備え、
前記マッピングテーブルを参照することにより、前記個別チャネルを適切な下り共通チャネルにマッピングすることを特徴とする無線ネットワーク制御装置。
【０１４３】
（付記２１）付記２０において、
前記マッピングテーブルは、前記個別チャネル毎に、対応する移動機の識別子を格納し、
前記識別子で示される移動機に対して、データをユニチキャストすることを特徴とする無線ネットワーク制御装置。
【０１４４】
（付記２２）付記２０において、
前記マッピングテーブルは、前記個別チャネル毎に、前記チャネルにおけるタイミングオフセット格納し、
前記個別チャネルを用いてデータを送信する際に、前記タイミングオフセットに基づいた送信タイミングで対応する移動機に対してデータを送信することを特徴とする無線ネットワーク制御装置。
【０１４５】
（付記２３）付記２２において、
前記下り共通チャネル処理部は、下り共通チャネルフレーム処理部を有し、
前記下り共通チャネルフレーム処理部は、コアネットワークから受信した、マルチキャストデータおよび特定移動機向けのデータから下り共通チャネルフレームを生成し、
送信対象となる移動機に対して、シグナリングデータとともに、前記下り共通チャネルフレームを送信することを特徴とする無線ネットワーク制御装置。  
【０１４６】
（付記２４）付記２３において、
前記下り共通チャネルフレーム処理部は、コアネットワークから受信したデータが、マルチキャスト用のデータであった場合に、前記受信したデータにマルチキャストデータであることを表す識別子を付与して下り共通チャネルフレームを生成することを特徴とする無線ネットワーク制御装置。
【０１４７】
（付記２５）付記１７において、
前記下り共通チャネル上でデータをマルチキャストする際に、前記マッピングテーブルを参照することにより、マルチキャストの対象となる移動機を選定し、
前記移動機の全てに対して、適切なタイミングでシグナリングデータを送信することを特徴とする無線ネットワーク制御装置。
【０１４８】
（付記２６）付記２５において、
前記シグナリングデータ送信に使用するチャネルとして、前記マクロダイバイーシチ処理部が終端する個別チャネル（ＤＣＨ）を使用し、  
前記下り共通チャネル処理部は、前記マクロダイバーシチ処理部に対して、
少なくともシグナリング送信指示と、シグナリング送信の対象となる移動機の識別子を通知し、
前記シグナリング送信指示および移動機識別子を受信したマクロダイバーシチ処理部は、前記個別チャネルを使用して、前記移動機に対してシグナリングを送信することを特徴とする無線ネットワーク制御装置。
【０１４９】
（付記２７）付記２５において、
前記シグナリングデータ送信に使用するチャネルとして、前記マクロダイバイーシチ処理部が終端する個別チャネル（ＤＣＨ#0）を使用し、前記シグナリングデータは、前記下り共通チャネル処理部において生成し、送信され、
前記共通チャネル処理部から送信されるシグナリングは、前記下り共通チャネル処理部と回線終端部との間に設定される第１のチャネル（ＤＣＨ#1）上に送信され、前記個別チャネル（ＤＣＨ#0）と前記第１のチャネル（ＤＣＨ#1）とを、前記回線終端部において合流されることにより、前記下り共通チャネル処理部から送信されたシグナリングデータが対応する移動機用の個別チャネル上で送信されるようにすることを特徴とする無線ネットワーク制御装置。
【０１５０】
（付記２８）付記２５において、  
前記シグナリングデータ送信に使用するチャネルとして、前記下り共通チャネル処理部に、移動機毎に独立にシグナリング専用のチャネルを設定し、前記シグナリング専用チャネルを使用して、対応する移動機に対してシグナリングデータを送信することを特徴とする無線ネットワーク制御装置。
【０１５１】
（付記２９）付記２５において、  
前記シグナリングデータ送信に使用するチャネルとして、前記マクロダイバイーシチ処理部に、移動機毎に独立にシグナリング専用のチャネルを設定し、
前記下り共通処理部は、前記マクロダイバーシチ処理部に対して、少なくとも、シグナリング送信指示と、シグナリング送信の対象となる移動機の識別子を通知し、
前記シグナリング送信指示および移動機識別子を受信した前記マクロダイバーシチ処理部は、前記シグナリング専用チャネルを使用して、前記移動機に対してシグナリングを送信することを特徴とする無線ネットワーク制御装置。
【０１５２】
（付記３０）ネットワークに接続される無線ネットワーク制御装置を通してよりら送られるデータを受信し、基地局に接続される移動機であって、  
前記下り共通チャネルフレームに格納されたデータ識別子を参照し、
前記データ識別子が、自識別子と一致した場合には、受信したデータをユニキャストされたデータとして処理を行い、
前記データ識別子が、マルチキャスト識別子でない場合で、自識別子にも一致しない場合には、受信したデータを破棄することを特徴とする移動機。
【０１５３】
（付記３１）付記３０において、
前記無線ネットワーク制御装置から下り共通チャネル識別子への切替え指示を受信した後、
前記無線ネットワーク制御装置に対して、前記切替え指示の応答メッセージを送信する際に、前記応答メッセージ内にマルチキャストへの参加有無を表す情報を格納することを特徴とする移動機。
【０１５４】
（付記３２）付記３１にける移動機に格納される前記送信した切替え応答メッセージ内のマルチキャストへの参加有無を参照し、"参加" であれば、前記応答メッセージを送信した移動機をマッピングテーブルに登録することを特徴とする無線ネットワーク制御装置。
【０１５５】
（付記３３）付記１７において、
前記マクロダイバーシチ処理部が個別チャネルあるいはシグナリング専用チャネルを終端している場合に、前記個別チャネルあるいはシグナリング専用チャネル上で、基地局からタイミング補正制御セルが送信された場合に、前記マクロダイバーシチ処理部が、前記タイミング補正制御セルから抽出したタイミング補正情報を前記個別チャネルに対応する移動機の識別子とともに、前記下り共通チャネル処理部に対して通知することを特徴とする無線ネットワーク制御装置。
【０１５６】
（付記３４）付記３３において、
前記マクロダイバーシチ処理部から前記下り共通チャネル処理部に通知された、タイミング補正情報および移動機識別子から、前記下り共通チャネル処理部が、前記マッピングテーブル内のタイミングオフセット値を格納する領域の値を更新することを特徴とする無線ネットワーク制御装置。
【０１５７】
（付記３５）付記３３において、  
前記マクロダイバーシチ処理部が、前記個別チャネルあるいはシグナリング専用チャネルを終端している場合に、前記個別チャネルあるいはシグナリング専用チャネル上で、前記基地局からタイミング補正制御セルが送信された場合に、前記回線終端部が、前記個別チャネルあるいはシグナリング専用チャネルのデータを全てまたは一部を複製し、前記複製したデータを、前記下り共通チャネル処理部に対して送出することにより、タイミング補正情報を前記下り共通チャネル処理部に対して通知することを特徴とする無線ネットワーク制御装置。
【０１５８】
（付記３６）付記３５において、
前記下り共通チャネル処理部は、前記複製されたすべてのデータを受信し、前記受信データの中で、タイミング補正制御セルのみを抽出し、ユーザデータは破棄することを特徴とする無線ネットワーク制御装置。
【０１５９】
（付記３７）付記３６において、
前記受信したタイミング補正制御セルから、タイミング補正値を抽出し、前記マッピングテーブル内のタイミングオフセット値の格納領域の値を更新することを特徴とする無線ネットワーク制御装置。
【０１６０】
（付記３８）付記３３において、  
前記マクロダイバーシチ処理部が、個別チャネルあるいはシグナリング専用チャネルを終端している場合に、前記個別チャネルあるいはシグナリング専用チャネル上で、前記基地局からタイミング補正制御セルが送信される場合に、
前記下り共通チャネル処理部と基地局との間に、制御フレーム専用のチャネルを設定しておき、
これにより、前記基地局において、前記タイミング補正制御セルを複製し、前記制御フレーム専用のチャネル上にも送信を可能とすること特徴とする無線ネットワーク制御装置。
【０１６１】
（付記３９）付記３３において、
前記ＤＳＣＨ処理部において、前記制御フレーム専用のチャネルで受信したタイミング補正制御セルから、タイミング補正値を抽出し、前記マッピングテーブル内のタイミングオフセット値の格納領域の値を更新することを特徴とする無線ネットワーク制御装置。
【０１６２】
（付記４０）ネットワークに接続される無線ネットワーク制御装置と、
基地局と、
前記基地局と接続される一以上の移動機を有し、
前記無線ネットワーク制御装置から、下り共有チャネルを用いて前記一以上の移動機にデータを送信するように構成され、
呼接続中の特定移動機に対してのみ選択的にデータをマルチキャストすることを特徴とする移動通信システム。
【図面の簡単な説明】
【０１６３】
【図１】図１は、ＤＳＣＨを使用した通信システムにおける下りデータ通信（移動機への通信）の概要を示す図である。
【図２】図２は、ＤＳＣＨ送信時の処理シーケンスの例を示す図である。
【図３】図３は、本発明に従うマルチキャストＤＳＣＨ通信方法の概要を説明する図である。
【図４】図４は、図３のマルチキャストＤＳＣＨ通信方法の動作シーケンス図である。
【図５】図５は、本発明における無線ネットワーク制御装置３０３の一実施形態を示す。
【図６】図６は、マルチキャスト設定テーブル５０２の実施例を示す図である。
【図７】図７は、ＤＳＣＨ設定テーブル５０３の実施例を示す図である。
【図８】図８は、マルチキャスト設定テーブル５０２内にどのような情報が設定されるかを示す図である。
【図９】図９は、ＤＳＣＨ設定テーブル５０３内にどのような情報が設定されるかを示す図である。
【図１０】図１０は、システム状態の具体例に対応して示す図である。
【図１１】図１１は、システムが起動してからマルチキャスト通信開始までの処理シーケンスについて示す図である。
【図１２】図１２は、シグナリング方法の具体例を示す図である。
【図１３】図１３は、無線ネットワーク制御装置３０３、特に、ＤＳＣＨ処理部５００とマクロダイバーシチ処理部５０５におけるＤＳＣＨ送信時の処理フローを示す図である。
【図１４】図１４は、移動機におけるＤＳＣＨ受信時の処理フローを示す図である。
【図１５】図１５は、基地局３０４から制御フレームを受信した際の動作を説明する図である。
【図１】
2008079333.tif 000003
【図２】
2008079333.tif 000004
【図３】
2008079333.tif 000005
【図４】
2008079333.tif 000006
【図５】
2008079333.tif 000007
【図６】
2008079333.tif 000008
【図７】
2008079333.tif 000009
【図８】
2008079333.tif 000010
【図９】
2008079333.tif 000011
【図１０】
2008079333.tif 000012
【図１１】
2008079333.tif 000013
【図１２】
2008079333.tif 000014
【図１３】
2008079333.tif 000015
【図１４】
2008079333.tif 000016
【図１５】
2008079333.tif 000017